(57)【要約】      （修正有）【課題】ベルト側部材と腰袋（工具収納具）側部材とを着脱可能に連結できるようにしたタイプの作業用ケースにおいて、ベルト側部材と腰袋側部材とが連結状態にあるときにその連結状態を解除する操作をしない限りその連結状態が絶対に解除されないようにし、安全性を高める。【解決手段】ベルト側側部材２と腰袋側部材６に互いに着脱可能に嵌合する嵌合部２０、４０（４０：Ｈ字状スリット）を設け、そして、その嵌合部２０、４０に、互いに嵌合したとき互いに連通するキー通空間４４を形成し、そのキー通空間４４にキー１０を挿通することにより、ベルト側側部材２と腰袋側部材６とが連結された状態にする。【選択図】図２
2016087772.tif 000002
【特許請求の範囲】
【請求項１】
ベルトに掛けられるベルト側側部材と、
工具収納具が取り付けられた工具収納具側部材と、
キーと、
を有し、
上記ベルト側部材と上記工具収納具側部材とに、互いに着脱可能に嵌合する嵌合部が形成され、
上記嵌合部に、互いに嵌合したときに連通するキー通空間が形成され、
上記キーは互いに連通する状態の上記キー通空間に挿通可能に形成され、挿通された状態で上記ベルト側部材と上記工具収納具側部材との連結状態を保持するようにされてなる
ことを特徴とする作業用ケース。
【請求項２】
前記キーを、前記ベルト側部材と、前記工具収納具若しくは前記工具収納具側部材とのいずれかに接続具を介して接続してなる
ことを特徴とする請求項１記載の作業用ケース。
【請求項３】
前記キーが前記嵌合部の前記キー通空間に挿通されたとき、そのキーのキー通空間からの抜けを防止する抜け止め手段を有する
ことを特徴とする請求項１又は２記載の作業用ケース。
【発明の詳細な説明】
【技術分野】
【０００１】
本発明は、ベルト挿通部に通したベルト（例えば「安全帯」と称されるベルトを含む）に掛けられることにより使用され、本体を成す、皮革或いは繊維等により形成された腰袋等の工具収納具にて各種工具を収納する作業用ケースに関するものである。
【背景技術】
【０００２】
建築、建設等の各種作業には多くの種類の工具が使用される。例えば、鉄筋作業には、鉄筋どうしを結束するための鉄筋作業に絶対に必要不可欠なハッカー、針金を切断するカッター、鉄筋等に印し（マーク）をつけるマーカーと呼ばれる筆記用具、長さを計測する折尺等の工具を用いる。
従って、鉄筋作業員は、使用する各種工具を入れる作業用ケースをズボンのベルト或いは安全帯に掛け、その作業用ケースに作業で使用する各種工具類を入れて現場に臨むのが普通である。
【０００３】
そして、本願出願人会社は、そのような工具を収納する作業用ケースについて例えば特願２００１−２７５９７５、特願２００１−２６９７１４等により技術的提案をし、その技術的内容が特開２００３−０８２８５６号公報、特開２００３−０８０４７４号公報により公開されている。
また、作業用ケースとして、本体を皮革或いは繊維等からなる腰袋で構成し、その腰袋の一部にベルトを通すベルト通しを設けたものもあり、主としてタオル或いは手拭いや軍手或いは手袋その他種々の工具類、結束線、釘やねじ類等の収納に使用され、単に「腰袋」と称され、万能の作業用ケースとして位置づけられている。
【０００４】
そして、作業用ケースには、ベルトに掛かる部分、即ちベルト側部材と、腰袋等工具収納具側の部分、即ち工具収納具側部材とが一体のものが主流ではあるが、将来、双方が分離し着脱を可能にしたものが主流になると思われる。
というのは、ベルトと作業用ケースとの着脱はかなり面倒であり、特に作業員が高層ビルの建築のため高所で何度もその着脱を繰り返すことは危険ですらある。
【０００５】
そこで、一つの作業が終了し別の作業を行うために工具一式を工具収納具単位で簡単に交換できるようにするために、或いは、休憩や食事のために工具収納部を取り外しができるようにするために、ベルト側部材と、工具収納具側部材とを分離し、且つ着脱可能に連結できるようにしたのである。
そして、その着脱可能な連結は、例えば図１１（Ａ）、（Ｂ）に示すような機構により為されるようになっている。
【０００６】
図１１（Ａ）はベルト側部材と工具収納具側部材との連結の仕方を斜め正面から示す分解斜視図、図１１（Ｂ）はベルト側部材と工具収納具側部材との連結の仕方を斜め背面から示す分解斜視図である。
図面において，ａはベルト側部材、ｂはベルト側部材ａを成す矩形状の金属板で、長辺近傍に互いに平行に形成された一対のベルト挿通孔ｃ、ｃを有する。この一対のベルト挿通孔ｃ、ｃのうちの一方ｃにベルトｄの一端を通し、その通した一端を更に他方のベルト挿通孔ｃに通すことにより、ベルト側部材ａがベルトｄに掛けられた状態になる。
【０００７】
ｅ、ｅは金属板ｂの一方の主面に一体に形成された一対の支持片で、ベルト挿通孔ｃ、ｃの長手方向における中央部の稍内側に位置している。ｆはこの一対の支持片ｅ、ｅの中央部間に懸架された状態で一体に形成された連結軸である。
ｇは工具収納具側部材で、下部に位置する主要部を成す工具収納具の図示は省略する。ｈは工具収納具側部材ｇの上部を成す金属からなる連結用基板、ｉはこの連結用基板ｈの裏面の上部にリベットにより固定された矩形状の金属板で、その上辺の中央部が突出し逆Ｕ字状の曲折部ｊを成している。
【０００８】
ｋは上記金属板ｉの下辺の中央部が一体に突出しされ上側に曲折されたバネ片で、肉厚は他の部分よりも薄くされ、バネ性を帯びるようにされている。
そして、そのバネ片ｋの先端部は上記曲折部ｊの下部の内側に位置され、バネ片ｋ自身のバネ力により曲折部ｊに接し、バネ片ｋの先端部と曲折部ｊとの間が閉塞状態になるようになっている。
【０００９】
そして、ベルト側部材ａと工具収納具側部材ｇとの連結は、ベルト側部材ａの連結軸ｆで、バネ片ｋを押すことによりバネ片ｋ先端部（上端部）と逆Ｕ字状曲折部ｊ先端部（上端部）との間に間隙を設け、連結軸ｆをその間隙に通すことにより行う。
このようにすることにより、逆Ｕ字状曲折部ｊと連結軸ｆとが連結され、延いては、ベルト側部材ａと工具収納具側部材ｇとが連結された状態になる。そして、その連結状態は、連結軸ｆが逆Ｕ字状曲折部ｊから離脱するのを、バネ片ｋのバネ力により自身の先端部を逆Ｕ字状曲折部ｊの先端部と接触させて閉塞状態を維持することにより保つ。
【００１０】
また、ベルト側部材ａから工具収納具側部材ｇを外す場合は、指で上記バネ片ｋを押してその先端部と逆Ｕ字状曲折部ｊの先端部との間に間隙をつくり、その間隙に上記連結軸ｆが通るようにして連結軸ｆを逆Ｕ字状曲折部ｊから外す。これで、ベルトｄから工具収納具側部材ｇを完全に外すことができるのである。
【先行技術文献】
【特許文献】
【００１１】
【特許文献１】特開２００７−１８３４９８号公報
【特許文献２】特開２０１３−０２５０５２号公報
【発明の概要】
【発明が解決しようとする課題】
【００１２】
ところで、近年、例えば超高層ビル等の建築物の高層化が進むにつれて、建築工事における作業員の安全性を高める必要性が強く認識されるに至っている。
そのため、ハーネス型と呼ばれる作業員の肩、腿の二方を中心の胴ベルトを介して連結し、全身で作業員の重量を支え、保持する安全帯が普及しつつあり、さらに過酷な作業による身体の防御の必須装備として腰痛防止の腰当（サポーターベルト）を安全帯と併用することが一般化され、多くなっている。
そのことは、ベルトを止める為の干渉部位が増え、作業用ケースを装着するベルトの空間が極端に狭められ、且つ、作業の為の最適な作業用ケースの装着位置が失われてしまう原因となっている。さらに、そのような状況下において、複数のベルト側部材と工具収納具側部材の一体の作業用ケースの順位を変えたり、種類を変えたりする時はベルトを全て外し、一から新規に装着し直おさなければない場合がある。それは、作業員の膨大なエネルギーの浪費といえる。
依って、本発明は、従来のベルト側部材と腰袋等工具収納具側部材が一体の作業用ケースや工具収納具側部材の従来の回転が許容できる使用方法の作業用ケースに対し、中の収納物の落下を防止するために工具収納具側部材の回転や必要以上の動きを抑制しなければならないより安全性が要求される場合において、工具収納具側部材を自由に着脱、交換できる作業用ケースとして現場作業員に安全性と利便性を提供するものである。
【００１３】
従って、各作業員が着用する作業用ケースに要求される安全性の高さが従来通りで済む場合も多いが、それより高い安全性が要求される場合も増えつつある。
そして、ベルト側部材と工具収納具側部材とを着脱可能に連結できるようにしたタイプの作業用ケースにおいては、その連結部で発生する回転が作業員の動きを楽にし、定まった部位に定まった工具を収納する場合には問題ないが、その反面、腰袋のように出し入れ口が大きく不特定多数のものを収納する場合、その回転を抑制し収納物の落下を防止しなければならない。
【００１４】
そして、作業員は作業中いろんな姿勢を取り、複雑な動作をするので、それに伴って作業用ケースはいろんな状態、向きになり、想定外の向き、状態になることもある。従って、例えば、図１１に示すようなタイプの作業用ケースａにおいては、連結軸ｆを中心に作業員の体の方に工具収納具側部材ｇが回転する。そのことは作業員の動きを楽にする。そして、決められた工具が決められた位置に収納される場合には問題はないが、反面、腰袋のように出し入れ口が大きく不特定多数の様々なものを収納する工具収納具側部材の場合、中の収納物の落下の危険性がある。
依って、より安全性が高いことが要求される場合、ベルト側部材と工具収納具側部材との連結状態をより強固に維持できるようにすることが作業用ケースに求められるに至っている。
【００１５】
本発明はそのような求めに応えるために為されたものであり、その目的は、ベルト側部材と工具収納具側部材とを着脱可能に連結できるようにしたタイプの作業用ケースにおいて、作業員の様々な動きがベルト側部材に伝わる傾斜角度以上の工具収納具側部材の動きが抑制され、さらに、ベルト側部材と工具収納具側部材とが連結状態にあるときにその連結状態を解除する操作をしない限りその連結状態が絶対に解除されないようにして安全性を高めることにある。
【課題を解決するための手段】
【００１６】
請求項１の作業用ケースは、ベルトに掛けられるベルト側側部材と、工具収納具が取り付けられた工具収納具側部材と、キーと、を有し、上記ベルト側部材と上記工具収納具側部材とに、互いに着脱可能に嵌合する嵌合部が形成され、これ等嵌合部に、互いに嵌合したときに連通するキー通空間が形成され、上記キーは互いに連通する状態の上記キー通空間に挿通可能に形成され、挿通された状態で上記ベルト側部材と上記工具収納具側部材との連結状態を保持するようにされてなることを特徴とする。
【００１７】
請求項２の作業用ケースは、請求項１記載の作業用ケースにおいて、前記キーを、前記ベルト側部材と、前記工具収納具若しくは前記工具収納具側部材とのいずれかに接続具を介して接続してなることを特徴とする。
請求項３の作業用ケースは、請求項１又は２記載の作業用ケースにおいて、前記キーが前記嵌合部の前記キー通空間に挿通されたとき、そのキーのそのキー通空間からの抜けを防止する抜け止め手段を有することを特徴とする。
【発明の効果】
【００１８】
請求項１の作業用ケースによれば、ベルト側部材と工具収納具側部材とを、それ等の嵌合部どうしを嵌合し、互いに連通された状態のキー通空間にキーを挿通することにより、連結する状態を形成することができ、そのキーを上記キー通空間から抜かない限りその連結状態を保持することができる。
そして、キーにバネ性を持たせる必要がないので、薄くする等機械的強度を犠牲にして形成する必要がなく、連結された状態が僅かな力で解除されるというおそれをなくすことができる。
【００１９】
請求項２の作業用ケースによれば、キーを、ベルト側部材と、工具連結具或いは工具収納具側部材とのいずれかに接続具を介して接続したので、キーが落下したり、紛失したりするおそれをなくすことができる。
請求項３の作業用ケースによれば、キーのキー通空間からの抜け止めをする抜け止め手段があるので、キーがキー通空間から抜けてベルト側部材と工具収納具側部材との連結状態が解除されることをきわめて有効且つ確実に防止することができる。
【図面の簡単な説明】
【００２０】
【図１】本発明作業用ケースの第１の実施例のベルト側部材と工具収納具側部材が連結された状態を示す斜視図である。
【図２】本発明作業用ケースの第１の実施例のベルト側部材と工具収納具側部材が分離された状態を示す斜視図である。
【図３】（Ａ）、（Ｂ）は本発明作業用ケースの第１の実施例の嵌合部どうしの嵌合を説明するための縦断面図で、（Ａ）は嵌合直前の状態を、（Ｂ）は嵌合後の状態を示す。
【図４】本発明作業用ケースの第１の実施例のキーをキー通空間に挿し込んでベルト側部材と工具収納具側部材を連結した直後の状態を実線で示し、キーの抜け止めをした状態を二点鎖線で示す斜視図である。
【図５】本発明作業用ケースの第１の実施例のベルト側部材と工具収納具側部材を連結するべくキーをキー通空間に挿し込む直前の状態を示す斜視図である。
【図６】（Ａ）、（Ｂ）は本発明作業用ケースの第１の実施例のキーの動きを説明をするための縦断面図で、（Ａ）はキーがキー通空間に挿通される直前の状態を、（Ｂ）はキーがキー通空間に挿通された状態を示す。
【図７】本発明作業用ケースの第２の実施例のベルト側部材と工具収納具側部材が分離された状態を実線で示し、嵌合部どうしが嵌合された状態及び抜け止めされた状態を二点鎖線で示す斜視図である。
【図８】本発明作業用ケースの第３の実施例のベルト側部材と工具収納具側部材が分離された状態を実線で示し、嵌合部どうしが嵌合された状態を二点鎖線で示す斜視図である。
【図９】本発明作業用ケースの第４の実施例のベルト側部材と工具収納具側部材が分離された状態を実線で示し、嵌合部どうしが嵌合され、キーにより連結され抜け止めされた状態を二点鎖線で示す斜視図である。
【図１０】（Ａ）、（Ｂ）は本発明作業用ケースのベルト側部材の変形例を示すもので、（Ａ）は正面図、（Ｂ）は（Ａ）のＢ−Ｂ線視断面図である。
【図１１】（Ａ）、（Ｂ）は背景技術を説明するためのもので、（Ａ）はベルト側部材と工具収納具側部材との連結の仕方を斜め正面から示す分解斜視図、（Ｂ）はベルト側部材と工具収納具側部材との連結の仕方を斜め背面から示す分解斜視図である。
【発明を実施するための形態】
【００２１】
本発明作業用ケースは、基本的には、ベルト側側部材と、工具収納具側部材と、キーと、を有し、上記ベルト側部材と上記工具収納具側部材に互いに着脱可能に嵌合される嵌合部を形成し、これ等嵌合部に、互いに嵌合したときに互いに連通するキー通空間を形成し、上記キーを互いに連通する状態の上記キー通空間に挿通可能に形成し、挿通された状態でベルト側部材と工具収納具側部材との連結状態を保持するようにしたものであるが、ベルト側部材、工具収納具側部材及びキーは種々の態様で実施することができ、ベルト側部材は、普通の作業服のズボンのベルトに掛けられるものであっても、或いは、安全帯と称される高い安全性が得られるように設計されたベルトに掛けられるものであっても良い。
【００２２】
ベルト側部材のベルトへの取付には、例えば金属等からなる基板に一対のベルト挿通孔を平行に形成し、ベルトの一端を一方のベルト挿通孔に通し、その通したベルトの端をもう一方のベルト挿通孔に通すという態様と、基板の裏側に一つのベルト挿通孔を設け、それにベルトを通すという態様がある。
ベルト側部材は、金属で形成しても良いが、必要な機械的強度、硬度があれば、例えば合成樹脂等別の素材で形成しても良い。
【００２３】
また、ベルト側部材は、前述の図１１に示す作業用ケースに用いたベルト側部材ａをそのまま用いることもできる。即ち、図１１の作業用ケースも現在非常に便利に用いられているが、連結部に発生する回転が不向きな作業用ケース、例えば出し入れ口が大きく不特定多数のものを収納する腰袋等に図１１のベルト側部材と同じものを用いることにより、ベルト側部材をベルトから外すことなく、回転の利便性に見合った作業用ケースと回転抑制の安全性を求められる作業用ケースとから作業状況に応じた方を選ぶことができる。
このように相反する工具収納具を同一のベルト側部材で使用できることは、作業用ケースの選択の自由度を高め、より高度に質的な汎用性を高めることができると言える。
【００２４】
ちなみに、後で実施例の項で詳述する第１の実施例の作業用ケースを構成するベルト側部材は、図１１に示した作業用ケースのベルト側部材ａと材質、構造が全く同じものを用いており、本発明に係る作業用ケースのためだけに特別の仕様、設計を行わないで済む場合が多い。
また、工具収納具は、腰袋タイプのものであっても良く、次の項の実施例で述べた各実施例の工具収納具はすべて腰袋タイプのものであるが、それ以外のタイプのものであっても良い。
工具収納具側部材は、ベルト側部材と同様に、金属により形成しても良いが、必要な機械的強度や硬度等の条件を満たせば、例えば合成樹脂等、別の素材を用いても良い。
【００２５】
次に、キーについて述べると、互いに嵌合する嵌合部の互いに連通するキー通空間に完全に挿通可能で、挿通された状態で連結状態を保持できる強度があるという条件を満たせば、どのような形態であっても良い。例えばプレート状（平板状）であっても良いし、棒状であっても良い。
また、材質は金属であれば充分な機械的強度や硬度を得やすいが、例えば合成樹脂等、別の素材でも必要な機械的強度、硬度が得られるならば用いることができる。
また、キーをキー通空間に上側から下向きに挿通するようにしても良いが、その逆に、キーをキー通空間に上向きに挿通するようしても良い。
更に、キーを横方向（左右方向）に抜き挿しする等、キーの抜き挿し方向は限定されない。
【００２６】
また、キーは接続具を介して工具収納具に固定するようにしても良いが、工具収納具側部材に固定するようにしても良い。また、ベルト側部材に固定するようにしても良い。接続具としては、チェーン或いはストラップが良い。
また、キーのキー通空間からの抜けを防止する抜け止め手段を設けると好ましい。抜け止め手段には種々の態様があり得る。次の実施例の項では、三つの態様を紹介している。尚、抜け止め手段は、例えば工具収納具側部材に取り付けても良いが、工具収納具、例えば腰袋に取り付けてもよい等、取り付け位置は限定されない。
【実施例】
【００２７】
（第１の実施例）
図１〜図６は本発明作業用ケースの第１の実施例１ａを示すもので、図１はベルト側部材と腰袋（工具収納具）側部材が連結された状態を示す斜視図、図２はベルト側部材と腰袋側部材が分離された状態を示す斜視図、図３（Ａ）、（Ｂ）は嵌合部どうしの嵌合を説明するための縦断面図で、（Ａ）は嵌合直前の状態を、（Ｂ）は嵌合後の状態を示し、図４はキーをキー通空間に挿し込んでベルト側部材と腰袋側部材を連結した直後の状態を実線で示し、キーの抜け止めをした状態を二点鎖線で示す斜視図、図５はベルト側部材と腰袋側部材を連結するべくキーをキー通空間に挿し込む直前の状態を示す斜視図、図６（Ａ）、（Ｂ）はキーの動きを説明をするための縦断面図で、（Ａ）はキーがキー通空間に挿通される直前の状態を、（Ｂ）はキーがキー通空間に挿通された状態を示す。
【００２８】
図において、２は第１の実施例１ａを構成するベルト側部材で、ベルト４に掛けられるものである。６は本実施例１ａを構成する別の部材である腰袋（工具収納具）側部材で、それには工具収納具である腰袋８が固定されている。
１０は第１の実施例１ａを構成するもう一つの部材であるキーであり、本実施例１ａにおいては平板状を有している。このキー１０は接続具であるチェーン１２を介して腰袋８に固定されている。１４はキー１０の先端に形成された抜け止め用係合孔、１４ａはその抜け止め用係合孔１４の下側の縁部である。
【００２９】
次に、ベルト側部材２について詳細に説明する。
１６はベルト側部材２が形成された矩形状の金属板で、両方の長辺部に沿って一対のベルト挿通孔１８、１８が形成されている。ベルト４の一端を一方のベルト挿通孔１８に通し、更に、その一端を別のベルト挿通孔１８を通すことにより、ベルト側部材２がベルト４に掛けられた状態になる。１９、１９は金属板１６の上記ベルト挿通孔１８、１８間の上部及び下部に形成された隆起部で、後述するようにベルト側部材２と腰袋側部材６を装着するときにおけるその両部材間の上下方向における位置決めをする役割を果たす。
【００３０】
２０は嵌合軸で、特許請求の範囲における嵌合部に該当し、金属板１６のベルト挿通孔１８、１８の稍内側に一体に形成された一対の支持台２２、２２の中心部間に一体に懸架状に形成されている。
【００３１】
尚、本ベルト側部材２は、図１１に示すベルト側部材ａと材質、構造が全く同じものを用いることができる。従って、この第１の実施例の作業用ケース１ａのベルト側部材２を得るために、特別に設計、製造するというロスは生じ得ない。連結軸ｆの果たす役割が嵌合軸２０に代わるだけである。
【００３２】
次に、腰袋側部材６の構成について詳細に説明する。
３０は腰袋側部材６の主要部が形成された金属基板で、その表面上部の横方向における中央部に上下に離間して一対のボタン状係合部３２、３２が固定されている。このボタン状係合部３２、３２は金属からなり、頂部が基部側よりも小径にされて段差が形成されており、更に、その段差が滑らかになるように面取りした形状にされている。そして、そのボタン状係合部３２、３２の大径の基部間に上記嵌合軸２０が嵌合されることになるが、それについては後述する。
【００３３】
３４は金属片で、上から視てコ字状でそのコ字状部分の両側部を外側に直角に折り曲げて取付片３６、３６とされており、この取付片３６、３６にて上記金属基板３０に固定されている。その金属片３４の裏面と金属基板３０の表面との間がキー通空間４４となる。
３８、３８、・・・は金属片３４を取付片３６、３６にて金属基板３０上部に固定するリベットである。尚、固定に使用されたリベットにはすべて３８の符号を付与した。
【００３４】
４０は金属片３４の中央部に形成されたＨ字状スリットで、中央部の横に伸びる部分は上記嵌合軸２０を通し、両側の縦に伸びる部分は嵌合軸２０を支持する支持台２２、２２を通し且つ支持台２２、２２及び嵌合軸２０の横方向への位置を規定する。
この金属片３４のＨ字状スリット４０及び上下に離間した一対のボタン状係合部３２、３２が嵌合軸２０及び支持台２２、２２を受け入れる。そして、嵌合軸２０が一対のボタン状係合部３２、３２間に嵌合されたとき、腰袋側部材６の嵌合部（Ｈ字状スリット４０及び一対のボタン状係合部３２、３２からなる）と、ベルト側部材２の嵌合軸２０が嵌合した状態になる。
【００３５】
そして、図３のポイントＡ、Ｂ、Ｃ、Ｄにおいて腰袋側部材６の金属片３４とベルト側部材部材２の金属片１６が当接し、また、ポイントＥ、Ｆにおいて嵌合軸２０とボタン状係合部３２、３２とが当接し、上下方向の位置、動きを完全に規定する。
ここで、図３のポイントＡとは、金属片３４の上端と、上側の隆起部１９の下辺とが接する部分を、ポイントＢとは、Ｈ字状スリット４０の両端の縦に伸びる部分の上側内端面と、上側の支持台２２の上辺との接する部分を指し、ポイントＣとは、金属片３４の下端と、下側の隆起部１９の上辺とが接する部分を指す。ポイントＤとは、Ｈ字状スリット４０の両端の縦に伸びる部分の下側内端面と下側の支持台２２の下辺との接する部分を指す。
【００３６】
また、ポイントＥとは上側のボタン状係合部３２の下端と嵌合軸２０との接する部分、ポイントＦとは下側のボタン状係合部３２の上端と嵌合軸２０との接する部分を指す。
この図３（Ｂ）に示す嵌合状態のとき、嵌合軸２０の内側と金属片３４の内面との間に上記キー通空間２４が形成される。そして、金属基板３０と金属片３４との空間４４と、そのキー通空間２４とは連通し、キー１０の抜き挿しを許容する空間となる。
４６は皮革等フレキシビリティを有する抜け止め用基板で、上部がリベット３８、３８により上記金属基板３０の下部に固定されている。
【００３７】
抜け止め用基板４６の下部に、金属からなる抜け止め具４８がリベット３８、３８により固定されている。この抜け止め具４８は連結状態を維持するキー１０の抜け止めをする役割を果たし、特許請求の範囲の抜け止め手段に該当する。
５０は抜け止め具４８が形成された金属板で、その下端部がＵ字状に折り返されて係合片５２とされており、上端部が逆Ｕ字状に折り返されてバネ片５４とされ、このバネ片５４の先端部は上記係合片５２の先端部の内側に位置し、バネ片５４はそのバネ力によりその先端を係合片５２に接触するように付勢している。これで腰袋側部材６の構成についての説明を終える。また、キー１０については既に構成を説明済みである。
尚、本実施例１ａにおいて、抜け止め手段である抜け止め具４８は抜け止め用基板４６を介して金属基板３０に固定されているが、腰袋８に固定するようにしても良い。
【００３８】
次に、本作業用ケース１ａの使用方法について説明する。
図１はベルト側部材２と腰袋側部材６の嵌合部どうしを嵌合した状態を示すが、図２は嵌合する前の状態を斜視図にて示し、図３（Ａ）は嵌合前の状態を、同（Ｂ）は嵌合後の状態を、縦断面図で示しているので、先ず、この図２、図３（Ａ）、（Ｂ）を参照しながら嵌合させることについて説明する。
ベルト側部材２と腰袋側部材６の連結は、ベルト側部材２の嵌合軸（特許請求の範囲の嵌合部に相当する）２０をＨ字状スリット４０を有する金属片３４等からなる嵌合部に嵌合することから始まる。
【００３９】
上述のとおり、腰袋側部材６の嵌合部は、金属片３４に形成されたＨ字状スリット４０及び上下に離間した一対のボタン状係合部３２、３２からなり、スリット４０の横に伸びる中央部分を通して嵌合軸２０を受け入れ、スリット４０の縦に伸びる両側部分を通して支持台２２、２２を受け入れる。
そして、一対のボタン状係合部３２、３２の間に嵌合軸２０を受け入れることにより、上述したように上下方向及び横方向における位置決めが成された状態で嵌合軸２０が金属片３４等からなる腰袋側部材６に嵌合された状態になる。図４は嵌合後の状態を斜視図で示している。
【００４０】
この嵌合された状態では、Ｈ字状スリット４０の横方向に伸びる中央部分及び一対のボタン状係合部３２、３２にて嵌合軸２０の縦方向における位置を規定し、Ｈ字状スリット４０の縦方向に伸びる両側部分にて支持台２２、２２に支持されている嵌合軸２０の横方向の位置を規定する。
そして、そのように位置規定された嵌合状態では、金属片３４と金属基板３０表面との間に形成されたキー通空間４４と、嵌合軸２０の内側にできる金属片３４内面との間の空間、即ち、キー通空間２４とが連通し、キー１０を通す空間ができる。
【００４１】
そこで、斜視図である図５に示すように、そのキー１０を上側からその空間４４、２４に臨ませ、そして、挿通する。図６（Ａ）は挿通を開始したばかりの状態を、同（Ｂ）は挿通を完全に終了した状態を縦断面図で示している。
そして、図６（Ａ）に示すように、挿通しようとしたときのキー１０の位置が例えば同図（Ａ）における左側に稍ずれていた場合には、キー１０の先端が上側のボタン状係合部３２の面取りされた滑らかな段差に接し、その段差に案内されて挿通がスムースに進行し、図６（Ｂ）に示すように、挿通が完全に終了した状態になる。
【００４２】
これにより、ベルト側部材２と腰袋側部材６とが連結された状態になるが、本実施例１ａでは、この状態を容易に解除されないようにし、より安全性を高めるために、キー１０の抜け止めをする抜け止め具４８を主たる構成要素とする抜け止め手段が設けられている。
従って、連結された状態にした後、キー１０の抜けを防止する抜け止めを行う。
【００４３】
尚、キー１０がキー通空間２４、４４に挿通されたとき、キー１０の抜け止め用係合孔１４が形成されている下部がベルト側部材２の金属板１６より下に露出するように設計されている。
抜け止めは、例えば皮革からなるフレキシブルな抜け止め用基板４６を曲折し、キー１０の下部に形成された抜け止め用係合孔１４を係合させることにより行う。
【００４４】
この係合をさせる際、抜け止め用係合孔１４の下側の縁部１４ａで係合片５２の先端部に接するバネ片５４の先端部に強い力を加え、係合片５２とバネ片５４との間にその縁部１４ａを通し、抜け止め用係合孔１４に係合片５２との係合を保持した状態にすることができる。
その状態を解除するには、指等でバネ片５４をそのバネ力に抗して押すことにより、そのバネ片５４と係合片５２との間に間隙をつくり、その間隙に縁部１４ａを通せば良い。
【００４５】
このような実施例１ａによれば、ベルト側部材２と腰袋側部材６とを、腰袋側部材６のＨ字状スリット４０に嵌合部を成す嵌合軸２０及びその支持台２２，２２を嵌合し、互いに連通された状態のキー通空間２４、４４にキー１０を挿通することにより、連結する状態を形成することができる。そのキー１０を上記キー通空間２４、４４から抜かない限りその連結状態を保持することができる。
そして、キーにバネ性を持たせる必要がないので、薄くする等機械的強度を犠牲にしてキー１０等を形成する必要がなく、連結された状態が僅かな力で解除されるというおそれをなくすことができる。
【００４６】
そして、キー１０を、腰袋８に接続具であるチェーン１２を介して接続したので、キー１０が落下したり、紛失したりするおそれをなくすことができる。
また、キー１０のキー通空間２４、４４からの抜け止めをする抜け止め具４８があるので、キー１０がキー通空間２４、４４から抜けてベルト側部材２と腰袋側部材６との連結状態が解除されることを防止することができ、延いては作業用ケースの安全性をより高めることができる。
尚、本実施例１ａにおいて、ボタン状係合部３２、３２に代えて板状体を一体に又は別体に形成したものを用いても良い等、種々のバリエーションを採り得る。具体的には、上のボタン状係合部３２、或いは上下両方のボタン状係合部３２、３２は、嵌合軸２０を受けてこれの上下方向における位置を規定し、キー１０をスムーズにキー通空間４４に出し入れができれば、丸いボタン状であることは必要ではなく、矩形板でも良い等、形状は限定されない。
【００４７】
（第２の実施例）
図７は本発明作業用ケースの第２の実施例１ｂのベルト側部材と腰袋（道具収納具）側部材を分離した状態を実線で示し、連結した状態を二点鎖線で示す斜視図である。
本実施例１ｂは、第１の実施例１ａとは共通する部分と相違する部分を有し、共通する部分については、既に説明済みなので、図中において共通する符号を使用して詳細な説明を省略し、相違する部分についてのみ詳細に説明する。
【００４８】
先ず、ベルト側部材２ｂについて説明する。
１６ｂはベルト側部材２ｂが形成された矩形状の金属板で、両方の長辺部に沿って一対のベルト挿通孔１８、１８が形成されている点で第１の実施例１ａの金属板１６と異なるところはないが、そのベルト挿通孔１８、１８間に一対の矩形状の嵌合片６２、６２が上下に一定間隔離間して一体に形成されている点で上記金属片１６とは異なる。６４、６４は嵌合片６２、６２に形成された矩形状のキー通孔である。
上記嵌合片６２、６２は特許請求範囲の嵌合部に該当し、キー通孔６４、６４は特許請求の範囲におけるキー通空間に該当する。
【００４９】
次に、腰袋側部材６ｂについて説明する。
３０は金属基板で、第１の実施例１ａの金属基板３０とは基本的に異なるところはないが、表面に一対のボタン状係合部３２、３２が固定されておらず、また、金属片として金属片３４ではなく、金属片６６が固定されている点でのみ異なる。
【００５０】
金属片６６は、上から視てコ字状の金属板の両側部を外側に直角に折り曲げて取付片７０、７０としたものであり、その取付片７０、７０にて金属基板３０に固定されている。
そして、金属片６６裏面と金属基板３０表面との間には縦方向に伸びる空間７２が生じるが、それが特許請求の範囲のキー通空間に該当する。その金属片６６がベルト側部材２ｂの一対の嵌合片６２、６２間に嵌合するようにされている。
【００５１】
従って、金属片６６が特許請求の範囲における嵌合部に該当し、ベルト側部材２ａの一対の嵌合片６２、６２が特許請求の範囲における嵌合部に該当する。
そして、その金属片６６を嵌合片６２、６２間に嵌合したとき、嵌合片６２、６２のキー通孔６４、６４と、金属片６６の下のキー通空間７２とが連通するようにされており、その連通した上側のキー通孔６４、キー通空間７２及び下側のキー通孔６４にキー１０を挿通すると、連結状態を形成できるようにされている。
尚、抜け止めに関しては、第１の実施例１ａと全く同じであり、説明は省略する。
【００５２】
本実施例１ｂによれば、第１の実施例１ａによると同様の効果を享受することができ、更に、構造をより簡単にでき、製造コストをより低くすることができるという効果をも享受することができる。
【００５３】
（第３の実施例）
図８は本発明の第３の実施例１ｃを示す斜視図である。
本実施例１ｃは、第２の実施例１ｂとは共通する部分と相違する部分を有し、共通する部分については、既に説明済みなので、図中において共通する符号を使用して詳細な説明を省略し、相違する部分についてのみ詳細に説明する。
【００５４】
２ｃはベルト側部材で、ベルト挿通孔１８、１８を有し、上下に離間する一対の嵌合片６２、６２を有する点で、第２の実施例１ｂのベルト側部材２ｂとは共通するが、第１に、上下に離間する一対の嵌合片片６２、６２に形成されたキー通孔が矩形状ではなく、円形のキー通孔７６、７６である点で異なる。
キー通孔として円形のキー通孔７６、７６を形成するのは、本実施例１ｃにおいて使用するキー１０ｃが板状ではなく、棒状であるからである。棒状のキー１０ｃの径はキー通孔７６、７６の径よりも稍小径にされている。尚、このキー１０ｃの頭部７８はそれより下の部分、そしてキー通孔７６、７６よりも大径にされている。
【００５５】
ベルト側部材２ｃのベルト側部材２ｂとの第２の違いは、キーの抜け止めをする抜け止め手段８０が上の方の嵌合片６２よりも稍上に設けられていることにある。
この抜け止め手段８０は、Ｌ字状金属片８２の一辺をベルト側部材２ｃの金属板１６ｃに回動可能に軸支し、回動角度に応じてＬ字状金属片８２の他方の辺にてキー１０ｃの抜き挿しを許容したり、キー１０ｃの抜けを阻止したりできるようにされている。
【００５６】
次に、腰袋側部材６ｃについて説明する。この腰袋側部材６ｃの第２の実施例１ｂの腰袋側部材６ｂとの違いは、第１に、金属基板３０に取り付けられる金属片８６が、上下に離間した一対の嵌合片８８、８８を上下両側部に有するものであることにある。９０、９０は一対の嵌合片８８、８８に形成されたキー通孔である。
第２に、腰袋側部材６ｃには、抜け止め手段がなく、金属基板３０の下部には、第１の実施例１ａ、１ｂにおいて固定されていた抜け止め用基板４６を含め何も固定されていない点で、腰袋側部材６ｂとは異なる。
【００５７】
尚、キー１０ｃは、第１、第２の実施例の１ａ、１ｂのキー１０とは、断面円形の棒状体の頭部７８をそれより下の部分より大径にし、キー通孔７６、９０、９０、７６を通り抜けないようにした点で異なるが、チェーン１２を介して腰袋８に固定されている点では共通する。
次に、本実施例１ｃにおけるベルト側部材２ｃと腰袋側部材６ｃとの連結の方法について説明する。
【００５８】
先ず、腰袋側部材６ｃの嵌合片８８、８８がベルト側部材２ｃの一対の嵌合片６２，６２間に嵌合されるように、腰袋側部材６ｃをベルト側部材２ｃにあてがい、そして、キー通孔７６、９０、９０、７６が連通するようにする。
次に、Ｌ字状の金属片８２を回動してキー通孔７６、９０、９０、７６の上方を遮らない向きにする。
【００５９】
そして、キー通孔７６、９０、９０、７６に上からキー１０ｃを挿し込む。すると、キー１０ｃは、その頭部７８が上側の嵌合片６２に係合した位置まで挿し込まれた状態になり、ベルト側部材２ｂと腰袋側部材６ｂとを連結した状態にする。
その後、Ｌ字状の金属片８２を回動してキー通孔７６、９０、９０、７６の上方を遮ぎる状態にすると、キー１０ｃの抜け止めをすることができる。
本実施例１ｃによれば、第１の実施例１ａ、第２の実施例１ｂによると同様の効果を享受することができる。
【００６０】
（第４の実施例）
図９は本発明の第４の実施例１ｄのベルト側部材と腰袋（道具収納具）側部材を分離した状態を実線で示し、連結した状態を二点鎖線で示す斜視図である。
本実施例１ｄは、第３の実施例１ｃとは共通する部分と相違する部分を有し、共通する部分については、既に説明済みなので、図中において共通する符号を使用して詳細な説明を省略し、相違する部分についてのみ詳細に説明する。
【００６１】
ベルト側部材２ｄは、第３の実施例２ｃのベルト側部材２ｃとは、第１に抜け止め手段８０がなく、従って、それを構成する、回動可能なＬ字状金属片８２もない点で異なり、第２に、金属片１６ｄの一対のベルト挿通孔１８・１８間には、正面から視てＵ字状金属片１００がその一方のＵ字状端面にて固定されている点で異なる。
１０２、１０２はＵ字状の金属片１００の一対の上向きの側辺の略中央部に形成されたキー通孔である。
【００６２】
腰袋側部材６ｄは、その金属基板３０に金属片１０４が固定され、更に、その金属片１０４に正面から視て逆Ｕ字状の金属片１０６が、一方の逆Ｕ字状の端面にて固定されている。この逆Ｕ字状金属片１０６の下向きの側辺の略中央部にキー通孔１１０、１１０（一方のキー通孔１１０は図面に現れるが、他方の１１０は図面に現れない。）が形成され、そして、その一対のキー通孔１１０・１１０間にキー通筒状体１０８が一体に形成されている。
更に、一方のキー通孔１１０、キー通筒状体１０８の図面に現れない中心孔及び他方のキー通孔１１０が連通するようにされている。
【００６３】
この逆Ｕ字状金属片１０６は、ベルト側部材２ｄのＵ字状金属片１００に嵌合され得るようにされ、更に、金属片１００の一方のキー通孔１０２、金属片１０６の一方のキー通孔１１０、キー通筒状体１０８の図面に現れない中心孔及び他方のキー通孔１１０及び他方のキー通孔１０２が連通し得るようにされ、この連通した孔にはキー１０ｄを通すことができるようにされている。
キー１０ｄは、棒状である点でキー１０ｃとは共通するが、先端部１１４を回動可能にし、真っ直ぐな向きとなったり、直角になったりするようにした抜け止め手段を有する点でキー１０ｃとは異なる。
【００６４】
本実施例１ｄにおけるベルト側部材２ｄと腰袋側部材６ｄとの連結の方法について説明する。
先ず、腰袋側部材６ｄの逆Ｕ字状金属片１０６がベルト側部材２ｄのＵ字状金属片１００に嵌合されるようにし、そして、金属片１００の一方のキー通孔１０２、金属片１０６の一方のキー通孔１１０、キー通筒状体１０８の図面に現れない中心孔及び他方のキー通孔１１０及び他方のキー通孔１０２が連通し得るように位置合わせする。
【００６５】
次いで、その連通したキー通孔１０２、１１０、キー通筒状体１０８の中心孔、キー通孔１１０、１０２にキー１０ｄを、先端部１１４を真っ直ぐにした状態で挿し込む。それにより、腰袋側部材６ｄがベルト側部材２ｄに連結した状態になる。
その後、キー１０ｄのキー通孔１０２等から突出した先端部１１４を折り曲げ、キー１０ｄの抜け止めをした状態にする。
【００６６】
本実施例１ｄは、第１、第２、第３の実施例１ａ、１ｂ、１ｃとは、横方向にキー１０ｄを挿通するようにした点と、キー１０ｄに抜け止め手段が設けられている点で異なるが、それ以外の点では共通し、享受する効果に大きな違いはない。
【００６７】
（ベルト側部材の変形例）
図１０（Ａ）、（Ｂ）はベルト側部材の変形例２ｅを示すもので、（Ａ）は正面図、（Ｂ）は（Ａ）のＢ−Ｂ線視断面図である。
本変形例２ｅは、第１の実施例１ａに用いられたベルト側部材２とは、一対のベルト挿通孔１８、１８に代えて、金属板１６の裏側に設けた１個のベルト挿通孔１８ｅを用いたものである。
このように、本発明には種々の実施形態があり得るものであり、また、種々の変形例が存在し得る。
【産業上の利用可能性】
【００６８】
本発明は、本発明は、ベルト挿通部に通したベルト（例えば「安全帯」と称されるベルトを含む）に掛けられることにより使用され、本体を成す、皮革、繊維、合成樹脂、或いは金属等により形成され各種産業上の作業工具を収納する専用の作業用ケース或いは不特定の携帯収納物を収納する万能型の作業用ケースに産業上の利用可能性がある。
【符号の説明】
【００６９】
１ａ〜１ｄ・・・作業用ケース、
２、２ｂ〜２ｅ・・・ベルト側部材、４・・・ベルト、
６、６ｂ〜６ｄ・・・工具収納具（腰袋）側部材、
８・・・工具収納具（腰袋）、１０、１０ｃ、１０ｄ・・・キー、
１２・・・接続具（チェーン）、１４・・・抜け止め用係合孔、
１８、１８ｅ・・・ベルト挿通孔、２０・・・嵌合部（嵌合軸）、
２４・・・キー通空間、４０・・・嵌合部（Ｈ字状スリット）、
４４・・・キー通空間、４８・・・抜け止め具、５２・・・係合片、
５４・・・バネ片、６２・・・嵌合片（嵌合部）、
６４・・・キー通孔（キー通空間）、６６・・・金属片（嵌合部）、
７２・・・キー通空間、７６・・・キー通孔、
８０・・・抜け止め手段、８８・・・嵌合片（嵌合部）、
９０・・・キー通孔（キー通空間）、１００・・・金属片（嵌合部）、
１０２・・・キー通孔（キー通空間）、１０６・・・金属片（嵌合部）、
１０８・・・キー通孔（キー通空間）。
【図１】
2016087772.tif 000003
【図２】
2016087772.tif 000004
【図３】
2016087772.tif 000005
【図４】
2016087772.tif 000006
【図５】
2016087772.tif 000007
【図６】
2016087772.tif 000008
【図７】
2016087772.tif 000009
【図８】
2016087772.tif 000010
【図９】
2016087772.tif 000011
【図１０】
2016087772.tif 000012
【図１１】
2016087772.tif 000013